(57)【要約】      （修正有）【課題】表示器をフラットな表面にし、目立たない色にして、消灯時の存在感をなくし、点灯している表示器のみが目立つ様にして操作すべきボタンの位置を認識しやすくできるピッキングシステムを提供すること。【解決手段】ピッキングシステムにおいて物品を収容する保管箱が複数載置される物品棚と、物品棚の前面に配置された表面がフラットで目立たない複数の表示器４として、消灯時の存在感をなくし、点灯している表示器４のみが目立つ様にして操作すべきボタンの位置を認識しやすくできるピッキングシステムを提供する。【選択図】図３
2020026340.tif 000002
【特許請求の範囲】
【請求項１】
ピッキングシステムにおいてピッキングすべき物品が複数載置される物品棚と、
前記物品棚から前記ピッキングすべき物品の近傍で、かつ前記ピッキングすべき物品と対応関係にある位置に配置された複数の表示器と、
作業者がピッキングすべき物品に対応する表示器を点灯又は点滅させる制御手段と、を備え
前記複数の表示器は、フラットな表面を有することを特徴とするピッキングシステム。
【請求項２】
前記表示器は、上面が光の透過を低減する光透過低減手段で被覆されていることを特徴とする請求項１に記載のピッキングシステム。
【請求項３】
前記光透過低減手段は、表面につや消し加工が施されていることを特徴する請求項２に記載のピッキングシステム。
【請求項４】
前記表示器は、前記光透過低減手段によって被覆されている少なくとも１つの発光部品を有し、前記光透過低減手段は、消灯中の前記発光部品を光学的に遮断し、かつ点灯又は点滅中の前記発光部品の発光を透過することを特徴とする２又は３に記載のピッキングシステム。
【発明の詳細な説明】
【技術分野】
【０００１】
本発明は、多くの物品を収容する収容手段において、収容された物品をピッキングするピッキングシステムに関し、特にピッキングシステムに使用する表示器に関する。
【背景技術】
【０００２】
物流におけるピッキングシステムは、物品の格納手段として物品棚を備えている。ピッキングシステムにおいて、物品棚には通常複数の保管箱が載置され、各保管箱に同一種類の物品が１つ以上収容されている。ピッキング作業者は、ピッキングシステムを管理する制御手段の指令に従って必要な物品を取り出して、コンベヤ上の集品箱等に入れ、出荷ラインに移送する。例えば、物品棚を多数横に配列し、それに沿うようにコンベヤによる搬送ラインを設け、ピッキング作業者は棚からピッキングすべき商品を取り出してから搬送ラインに流れている集品箱に投入する。
【０００３】
この場合において、複数の保管箱の中から取り出すべき物品の保管箱をピッキング作業者が識別できるように、物品棚の前面に表示器が配置されている。表示器は、例えば７セグメントＬＥＤで構成され、取り出すべき物品の数量を表示できるようになっている。
【０００４】
表示器を使用するピッキングシステムとして、下記の特許文献１が知られている。特許文献１においては、防水性や防塵性に優れ、かつ光透過が良好であるうえに、押動時の誤動作を低減できる押動スイッチとこの押動スイッチを適用したピッキング用表示装置を提供する。
【先行技術文献】
【特許文献】
【０００５】
【特許文献１】登録実用新案第３００３３６４号公報
【特許文献２】特開２０１６−２２２４２６号公報
【０００６】
特許文献１においては、図１に示すように、複雑な構成要素で組み立てられた表示装置は、図３にしめすように、表面がフラットではない。さらに、図３では省略されているが、図２に示す補助スイッチを含めると、消灯している時も表示器その物の存在感が目立つ構成になっている。
【０００７】
特許文献２には、ピッキングシステムや表示器の基本的な説明が開示されている。
【０００８】
図４は、特許文献１の表示装置を含む従来の表示器４０を示す図であり、表示器４は、照光式スイッチ４２、７セグメントＬＥＤ４３を含む構成になっている。
【発明の概要】
【発明が解決しようとする課題】
【０００９】
しかしながら、従来の表示器は、ボタン部や数量表示部を明確にしていたため、消灯している時も表示器その物の存在感が目立ってしまう。
【００１０】
表示器はその性質上、点灯時の視認性が、最優先される性能とされることになる。そこで、本発明は、物品棚に多数設置された表示器の内、点灯していない表示器を目立なくすることで、点灯中表示器の視認性をさらに向上させることを可能とするピッキングシステムを提供することを目的とする。
【００１１】
従って、本発明は、表示器をフラットな表面にし、かつ目立たない色にして、消灯時の存在感をなくし、点灯している表示器のみが目立つ様にして操作すべきボタンの位置を認識しやすくできるピッキングシステムを提供することを目的とする。
【課題を解決するための手段】
【００１２】
上記課題を解決するに当たって、本発明者は、点灯中の視認性能が現状最大ならば、非点灯状態で目立たなくする機能を持たせることによって、点灯中視認性能をより向上することが可能となる点に着眼した。
【００１３】
これを踏まえて、本発明は、上記目的を達成するために、ピッキングシステムにおいてピッキングすべき物品が複数載置される物品棚と、上記物品棚から上記ピッキングすべき物品の近傍で、かつ上記ピッキングすべき物品と対応関係にある位置に配置された複数の表示器と、作業者がピッキングすべき物品の保管箱に対応する表示器を点灯又は点滅させる制御手段と、を備え、上記複数の表示器は、フラットな表面を有することを特徴とする。
【００１４】
この場合において、上記表示器は、上面が光の透過を低減する光透過低減手段で被覆されていることを特徴とする。
【００１５】
さらに、上記光透過低減手段は、表面につや消し加工が施されていることを特徴する。
【００１６】
さらにまた、上記表示器は、上記光透過低減手段によって被覆されている少なくとも１つの発光部品を有し、上記光透過低減手段は、消灯中の上記発光部品を光学的に遮断し、かつ点灯又は点滅中の上記発光部品の発光を透過することを特徴とする。
【発明の効果】
【００１７】
本発明によれば、表示器をフラットな表面にし、かつ目立たない色にして、消灯時の存在感をなくし、点灯している表示器のみが目立つ様にして操作すべきボタンの位置を認識しやすくできるピッキングシステムを提供することができる。
【図面の簡単な説明】
【００１８】
【図１】本発明による一実施形態のピッキングシステムにおいて物品を収容する保管箱から作業者が物品を取り出す様子を示す図である。
【図２】図１の物品棚の正面図である。
【図３】本実施形態における表示器を示し、（Ａ）はその平面図、（Ｂ）は（Ａ）のＸ−Ｘ線に沿った断面図、（Ｃ）は（Ｂ）のフィルムシートを除いた状態の平面図、（Ｄ）は照光式スイッチ４２及び７セグメントＬＥＤ４３の数字部分を点灯した状態の平面図である。
【図４】従来の表示器を示す平面図である。
【発明を実施するための形態】
【００１９】
以下、本発明を、図面に示した実施形態を用いてより詳細に説明するが、本発明は、これらに限定されるものではなく、本発明の主旨を逸脱しない範囲内で種々変更して実施することが可能であり、特許請求の範囲に記載した技術思想によってのみ限定されるものである。
【００２０】
図１は、本発明による一実施形態のピッキングシステムにおいて物品を収容する保管箱から作業者が物品と取り出す様子を示す図である。図１において、作業者６は、表示部４の指示状態４１に基づいて、７セグメントＬＥＤ４３に示された数量の物品を保管箱２から取り出し、スイッチ４２を押圧してオン操作を行い、取り出し完了を入力する。なお、物品棚においては、小間に区切り、保管箱を省略できる構成にしてもよい。
【００２１】
なお、図１に示した物品棚１は、一人の作業者に割り当てられた作業ゾーンであり、実際には、複数の作業者に対してその熟練度に応じて、より大きな又はより小さな物品棚のピッキングの作業ゾーンが割り当てられている。
【００２２】
図２は、図１の物品棚の正面図である。物品棚の複数の保管棚２にはそれぞれ複数の保管箱３が載置されている。各保管箱３の近傍の対応する位置に、表示器４が設けられている。
【００２３】
図３は、本実施形態における表示器４を示し、（Ａ）はその平面図、（Ｂ）は（Ａ）のｘ−ｘ線に沿った断面図、（Ｃ）は（Ｂ）のフィルムシートを除いた状態の平面図、（Ｄ）は照光式スイッチ４２及び７セグメントＬＥＤ４３の数字部分を点灯した状態の平面図である。図３（Ｂ）において、表示器４は、照光式スイッチ４２及び７セグメントＬＥＤ４３が基板４４に搭載され、全体がフィルムシート４５で被膜されている。
【００２４】
図３（Ａ）において、表示器４の上面のフィルムシート４５は、光の透過を低減する光透過低減手段である黒っぽいグレースモークのフィルムシートである。図３（Ｃ）は、フィルムシート４５を除いた状態の表示器４の平面図である。すなわち、照光式スイッチ４２及び又は７セグメントＬＥＤ４３が点灯もしくは点滅していないときは、図３（Ａ）に示すように、フィルムシート４５によって照光式スイッチ４２及び７セグメントＬＥＤ４３が作業者からはうっすらとしか見えない。なお、フィルムシート４５は、光透過低減手段であればよく、本実施形態の構成には限定されない。
【００２５】
一方、照光式スイッチ４２が点灯又は点滅したときは、図３（Ｄ）に示すように、指示状態４１によって取り出すべき物品の保管箱３に対応する表示器４を明確に視認できる。
【００２６】
したがって、表示器４の上面がフラットな形状のフィルムシート４５で被覆されることから、点灯又は点滅していない照光式スイッチ４２及び７セグメントＬＥＤ４３が目立たないので、表示器４の位置を認識しやすくできる。
【００２７】
この場合において、フィルムシート４６は、表面につや消し加工が施されているので、工場内の照明が反射する恐れがない。したがって、点灯中又は点滅中の表示器４の視認性を向上させ、さらに消灯中の表示器４の存在を目立たなくしている。
【産業上の利用可能性】
【００２８】
本発明は、表示器をフラットな表面にし、かつ目立たない色にして、消灯時の存在感をなくし、点灯している表示器のみが目立つ様にして操作すべきボタンの位置を認識しやすくできるので、産業上の利用価値を高めることができる。
【符号の説明】
【００２９】
２  物品棚
３  保管箱
４  表示器
４１  表示器の指示状態
４２  照光式スイッチ
４３  ７セグメントＬＥＤ
４４  基板
４５  フィルムシート
【図１】
2020026340.tif 000003
【図２】
2020026340.tif 000004
【図３】
2020026340.tif 000005
【図４】
2020026340.tif 000006